(57)【要約】      （修正有）【課題】靴を履く動作に付随して靴べらの使用ができ、靴べらの固定部材に対して固着性及び離脱性に優れた靴べらを提供する。【解決手段】持手部１２と当該持手部の先端側にべら部１１を備え、持手部とべら部との間であって、全体の重心よりも持手部側に磁着用の孔部１４又は凹部を有する。【選択図】図１
2015104462.tif 000002
【特許請求の範囲】
【請求項１】
持手部と当該持手部の先端側にべら部を備え、
持手部とべら部との間であって、全体の重心よりも持手部側に磁着用の孔部又は凹部を有することを特徴とする靴べら。
【請求項２】
前記磁着用の孔部又は凹部はマグネットを有することを特徴とする請求項１記載の靴べら。
【請求項３】
請求項１又は２記載の靴べらを磁着保持するスタンドを有し、前記スタンドは凸面形状からなる磁着部を有し、
前記靴べらの孔部又は凹部とスタンドの磁着部との間に磁着手段を有することを特徴とする靴べらとスタンドのセット。
【発明の詳細な説明】
【技術分野】
【０００１】
本発明は靴べらに関し、特にマグネットを用いた磁着性と離脱性とに優れた靴べら及びそれ用のスタンドに係る。
【背景技術】
【０００２】
靴べらにマグネットを取り付けることで固定位置に磁力で固定させ、使用時に固定位置から取り外すものは、特許文献１〜４に開示するように各種構造のものが提案されている。
しかし、これらに開示する靴べらは、いずれも持手部に単に柱状や板状のマグネットを取り付けたものであり、固定部から靴べらを取り外す際に磁力に打ち勝つ力が必要であり、磁着面から垂直方向の力では大きな力が必要であり、応々にして滑らすように離脱させる必要があった。
また、固定方法も靴べらをぶら下げるように固定するものであり、１本ずつ固定できても固定本数や固定位置に自由度が無いものである。
【先行技術文献】
【特許文献】
【０００３】
【特許文献１】実用新案登録第３０８７３２５号公報
【特許文献２】実用新案登録第３１３０１２２号公報
【特許文献３】実開昭６２−７３７７５号公報
【特許文献４】実開昭５２−６４１４２号公報
【発明の概要】
【発明が解決しようとする課題】
【０００４】
本発明は、靴を履く動作に付随して靴べらの使用ができ、靴べらの固定部材に対して固着性及び離脱性に優れた靴べらの提供を目的とする。
【課題を解決するための手段】
【０００５】
本発明に係る靴べらは、持手部と当該持手部の先端側にべら部を備え、持手部とべら部との間であって、全体の重心よりも持手部側に磁着用の孔部又は凹部を有することを特徴とする。
ここで持手部は、立って靴を履く動作に合せて靴べらを使用できるように比較的細長い柄になっているのが好ましい。
本発明に係る靴べらは、磁着手段を用いて靴べらを磁着固定する磁着部に孔部や磁着面が凹んだ凹部を設けた点に特徴がある。
磁着手段は、靴べらとスタンド等の固定部（磁着部）のうち、少なくとも一方にマグネットを取り付け、他方を鉄部材等の磁性部材であればよい。
従って、磁着用の孔部又は凹部はマグネットを有するようにしてもよい。
【０００６】
本発明において、磁着固定する磁着部を凸面形状にするのが好ましい。
その理由の詳細は後述するが、例えば図３に磁着部２３の拡大図を示すようにマグネット１３の孔部（凹部形状を含む）１４が凸面部２３ａにフィットするように安定的に固定できるだけでなく、図３（ｂ），（ｃ）に示すように靴べらをｆ１，ｆ２のどの方向に軽く斜めにする場合にも孔部の端部１４ａ，１４ｂの方を支点にして他方がてこの原理で凸面部２３ａから離れるので、靴べらの離脱が容易である。
よって、本発明の一形態として、請求項１又は２記載の靴べらを磁着保持するスタンドを有し、前記スタンドは凸面形状からなる磁着部を有し、前記靴べらの孔部又は凹部とスタンドの磁着部との間に磁着手段を有することを特徴とする靴べらとスタンドのセットにしてもよい。
【発明の効果】
【０００７】
本発明に係る靴べらにあっては、持手部とべら部との間であって、全体の重心よりも持手部側に磁着用の孔部又は凹部を設けたので、この孔部や凹部にて安定的に固定でき、且つ使用時には固定部からの離脱性に優れる。
また、凸面形状の磁着部を有するスタンドとセットにすると、スタンドに周囲方向どの方向からでも靴べらを磁着固定でき、且つ複数の靴べらを固定できる。
【図面の簡単な説明】
【０００８】
【図１】本発明に係る靴べらとスタンドの形状例を示し、（ａ）はスタンドに磁着前、（ｂ）は磁着後の例を示す。
【図２】（ａ）はスタンドに靴べらを磁着固定した状態を示し、（ｂ），（ｃ）は靴べらをスタンドから離脱させる状態の例を示す。
【図３】磁着部の拡大図を示し、（ａ）は固定状態、（ｂ），（ｃ）は離脱の動きを示す。
【図４】（ａ），（ｂ）は靴べらの形状例を示し、（ｃ）はスタンドに複数の靴べらを磁着固定した例を示す。
【図５】（ａ），（ｂ）は靴べらの孔を利用してフック型スタンドに引っ掛ける例を示す。
【発明を実施するための形態】
【０００９】
本発明に係る靴べら１０の構造例を以下図面に基づいて説明するが、本発明は本実施例に限定されない。
図１に靴べら１０とスタンド２０の例を示す。
なお、靴べら１０を磁力にて固定する磁着部に凸面形状部を有するもので有れば、固定手段はスタンド型に限定されない。
例えば、玄関口の壁部や家具類の側壁からアーム状に突出させたものでもよい。
図１に示した実施例の靴べら１０は、柄状の持手部１２の先端側にべら部１１を有し、靴べら１０全体の重心Ｗよりも少し持手側の近傍に孔部１４を設けてある。
この孔部１４は、磁着面側が凹んだ凹部形状でもよい。
スタンド２０は、載置面が平面状のベース部２１から支柱部２２を立設し、その上端部に凸面形状部を有する磁着部２３を有する。
【００１０】
図２及び磁着部２３の拡大図を示した図３にて、固定及び離脱の説明をする。
なお、図２，３では原理が説明しやすいように、磁着部２３を球形状にした例となっている。
本実施例では、リング状のマグネット１３を靴べらの柄部に取り付けることで孔部１４を形成した例になっているが、孔部１４の周囲に沿って複数の小さなマグネットを配設してもよい。
また、マグネットの替わりに磁性材のリングを取り付け、スタンド３０の磁着部側をマグネットにしてもよい。
【００１１】
図３（ａ）に示すように、スタンド３０の磁着部２３を磁性材で形成するとともに凸面形状部２３ａを設けたことにより、凸面部がマグネット１３の孔部１４の内周面に沿ってフィットするので、固定安定性に優れる。
また、孔部１４が靴べらの重心Ｗよりも持手部１２に設けられているので、べら部１１が下端に位置するように安定する。
図２（ｂ）の靴べらの取り外しに対応した拡大図を図３（ｂ）に示し、同様に図２（ｃ）の対応図を図３（ｃ）に示す。
磁着部２３の凸面形状部２３ａが孔部１４の内周部に沿って接触しているので、図２（ｂ），図３（ｂ）に示すように持手部１２を軽く外側に傾斜させると、孔部１４の内周下端側１４ｂを支点にして、てこの原理で内周上端側１４ａが凸面形状部２３ａから容易に離れる。
これにより、そのまま靴べら１０がスタンド２０から離脱する。
図２（ｃ），図３（ｃ）に示すように持手部１２をスタンド側に軽く倒すと、上記とは逆に内周上端側１４ａが支点になり、内周下端側１４ｂから先に離れる。
【００１２】
本発明に係る靴べらは図４（ａ）,（ｂ）に示すように、べら部１１の形状，持手部１２の形状に制限はない。
図４（ｃ）に示すように、スタンド２０の周方向，固定位置に制限がなく、複数の靴べら１０ａ，１０ｂを同時に固定することもできる。
さらには、図５に示すようにフック部３３ａ，３３ｂを有するフック型スタンド３０に靴べらを引っ掛けることもできる。
図５に示した例は、ベース部３１から支柱部３２を立設し、この支柱部３２から細いアーム状のフック部３３ａ，３３ｂを突設し、このフック部３３ａ，３３ｂを靴べら１０の孔部１４に挿入させる例になっている。
【符号の説明】
【００１３】
１０      靴べら
１１      べら部
１２      持手部
１３      マグネット
１４      孔部
２０      スタンド
２１      ベース部
２２      支柱部
２３      磁着部
Ｗ        重心
【図１】
2015104462.tif 000003
【図２】
2015104462.tif 000004
【図３】
2015104462.tif 000005
【図４】
2015104462.tif 000006
【図５】
2015104462.tif 000007